(57)【特許請求の範囲】
【請求項１】
光ファイバを束ねた光ファイバ束の、入力側端面に入力する光画像を、出力側端面に画像伝送して出力する画像伝送ファイバを用い、該画像伝送ファイバの内部を通して、照明光を上記入力側端面に伝送して射出させ、射出光により観察部分の照明を行い、対物光学系により上記入力側端面に結像した上記観察部分の光画像を出力側端面へ画像伝送し、撮像素子により画像情報化するファイバスコープ装置において、
画像伝送ファイバの、入力側端面と出力側端面との間に、光ファイバ束の画像伝送領域外に、光ファイバ束の軸に対して交わる入射用断面が形成され、
上記入射用断面とともに、上記画像伝送ファイバの外周面に向かって断面形状楔形に開く反射面を有し、１以上の照明光源からの照明光を上記反射面により反射させて上記入射用断面に入射させる構成としたことを特徴とするファイバスコープ装置。
【請求項２】
請求項１記載のファイバスコープ装置において、  
撮像素子の受光面を、画像伝送ファイバの出力側端面に直接接触させて、画像伝送された光画像を受光する構成としたことを特徴とするファイバスコープ装置。
【請求項３】
請求項１記載のファイバスコープ装置において、  
画像伝送ファイバの出力端面側に画像伝送された光画像を、結像レンズを介して撮像素子の受光面上に結像させる構成としたことを特徴とするファイバスコープ装置。
【請求項４】
請求項１〜３の任意の１に記載のファイバスコープ装置において、
観察部分の像を光ファイバ束の入力側端面に結像させる対物光学系が対物レンズであることを特徴とするファイバスコープ装置。
【請求項５】
請求項１〜３の任意の１に記載のファイバスコープ装置において、
観察部分の像を光ファイバ束の入力側端面に結像させる対物光学系がロッドレンズであって、上記入力側端面に向いた面を結像面として、上記入力側端面に密接させたことを特徴とするファイバスコープ装置。
【請求項６】
請求項１〜５の任意の１に記載のファイバスコープ装置に用いられる画像伝送ファイバであって、
光ファイバを束ねてなり、入力側端面と出力側端面を有し、上記入力側端面に入力する光画像を、上記出力側端面に画像伝送する画像伝送領域と、照明光を上記入射側端面に伝送させる画像伝送領域外とを有する光ファイバ束の、上記入力側端面と出力側端面との間の上記画像伝送領域外に、上記光ファイバ束の軸に対して交わる入射用断面と、該入射用断面とともに、外周面に向かって断面形状楔形に開く反射面が形成され、
上記照明光を上記反射面により反射させて上記入射用断面に入射させる構成とした画像伝送ファイバ。
【発明の詳細な説明】
【技術分野】
【０００１】
この発明はファイバスコープ装置に関する。この発明のファイバスコープ装置は、医療用の内視鏡や、工業用の観察装置として実施できる。
【背景技術】
【０００２】
ファイバスコープ装置は、人体内部を観察する医療用内視鏡や、工業上の構造体内部や機器内部を「狭隘な隙間や小さな開口」を通して観察する観察装置として広く実用化されている。  
このようなファイバスコープ装置は、観察部分を照明する照明手段と、照明された観察部の像を結像する対物光学系と、この対物光学系により結像した光画像を伝送する像伝送手段と、伝送された光画像を観察像として結像させる結像光学系と、この結像光学系により結像された観察像を撮像する撮像素子を有するのが一般である。
【０００３】
このようなファイバスコープ装置では、観察の際の人体への負担を軽減し、また、構造体への進入部を「より狭隘化」できるように、「挿入部の小径化」が求められ、これに応じて像伝送手段の小径化も進んでいる。
【０００４】
「像伝送手段」は、可撓性の光学材質で所望の長さを有し、対物光学系により結像された観察部分の光画像を長さ方向に伝送するものであるが、従来から「セルフォック」なる登録商標により知られる「集束性光伝送体」を一本用いるものや、数μｍないし数十μｍの径の細い光ファイバ（ガラスファイバやプラスチックファイバ）を束ねたものが知られている。
【０００５】
光ファイバを束ねた像伝送手段では、その両端における個々の光ファイバの端面の集合面が像伝送手段の長さ方向に直交する平面をなし、且つ「両端における光ファイバの配列が同一配列」となっている。
【０００６】
個々の光ファイバが光を伝送することにより、像伝送手段の一端における光画像である「光強度分布」が、他端部に再現される。このようにして一端から他端への像伝送が実現される。
【０００７】
集束性光伝送体を用いる像伝送手段は、集束性光伝送体自体に結像作用が付与されるため、その長さを自由に設定できない。また、像伝送路としての集束性光伝送体は、大きな曲率で撓めることが難しく、撓みが大きくなって曲がり部の曲率半径が小さくなると「像伝送機能」が低下したり、あるいは破断して折れたりすることなどが考えられる。
【０００８】
「光ファイバを束ねた像伝送手段」の場合は、その光伝送路としての長さを所望の長さに設定することが容易であり、小さな曲率半径で曲げることもできる。
【０００９】
一般に、このようなファイバスコープ装置では、観察対象を照明する照明手段として細身の像伝搬手段に沿わせるように「光ファイバからなるライトガイドファイバ」を備えている（特許文献１）。
【００１０】
ライトガイドファイバには観察対象を正確かつ効率よく照明することが要求されるが、挿入部を細径化するとライトガイドファイバの端部加工に高い精度が必要となり、加工コストや本体価格の高価格化を招来し易い。
【００１１】
特許文献２には、照明光源からの照明光を「光ファイバと集光レンズを複数個用い、集光レンズによる光が「像伝送手段の結像側の端面の周辺部」に円環状に集光するようにし、上記結像側端面から照明光を像伝送手段に入射させて、対物側端部へ「光伝送する」ことにより、像伝送手段自体を照明光のライトガイドとして用いることにより、挿入側を小径化する方法が開示されている。
【００１２】
しかし、この照明方式でも、像伝送手段が小径化するに従い、照明光を結像側端面の周辺部に集光される集光スポットを小径化する必要があり、レンズ径・レンズ厚の制約や収差存在により集光レンズの配置が困難となりやすく、小径の集光スポットを結像させる集光レンズ自体も構成が複雑となりやすい。
【００１３】
特許文献３には、像伝送手段として「１本のセルフォックレンズ」を用い、このセルフォックレンズ自体により「照明光を観察部分側へ伝送」する方法が記載されている。この方法は優れているが、観察部分の光画像を伝送する像伝送体部分と、照明光を伝送する部分とがセルフォックレンズ内で分離していないので、伝送された照明光がセルフォックレンズの観察部側端面で反射し、伝送された「観察部の像」に重畳して、強いハレーションを生じる可能性がある。
【発明の概要】
【発明が解決しようとする課題】
【００１４】
この発明は、観察部分側への照明光の伝送を容易とした、新規なファイバスコープ装置の実現、および画像伝送ファイバの実現を課題とする。
【課題を解決するための手段】
【００１５】
この発明のファイバスコープ装置は「光ファイバを束ねた光ファイバ束の、入力側端面に入力する光画像を、出力側端面に画像伝送して出力する画像伝送ファイバを用い、該画像伝送ファイバの内部を通して、照明光を入力側端面に伝送して射出させ、射出光により観察部分の照明を行い「対物光学系により入力側端面に結像した観察部分の光画像」を出力側端面へ画像伝送し、撮像素子により画像情報化するファイバスコープ装置」である。
【００１６】
「画像伝送ファイバ」は、「高屈折率のコア部が低屈折率のクラッド部で被覆され、直径が数μｍないし数十μｍで、所望の長さを持つ細い光ファイバ」を多数本束ね、光ファイバ長手方向の一端を「ファイバ端面の集合面が、光ファイバの長さ方向に直交する平面状の入力端面をなす」ように配列一体化し、他端を「ファイバ端面の配列を入力端面におけるファイバ端面の配列に整合させて平面状の出力端面をなす」ように配列し、全体を外皮チューブで一体化したものである。
【００１７】
「光ファイバ」は、従来から知られた石英ガラス等のガラス材料や、光学樹脂をコア部の材料とするものを用いることができる。ガラス材料を用いる光ファイバは、ファイバ径を小さくでき、それに応じて伝送する光画像の解像度を高くすることが出来る。一方、樹脂材料による光ファイバは、ファイバ系の細さではガラス製のファイバほどの細さを現段階では実現するのが困難であるが、光ファイバの長さは数１００ｍオーダで長くすることが可能であり、画像伝送ファイバの長さを極めて長くでき、巨大装置の内部の観察や、あるいは地中の大深度領域の観察等も可能である。
【００１８】
「対物光学系」は、観察対象の「照明された観察部分」の像を結像する光学系である。  「撮像素子」は、画像伝送ファイバの出力側端面に伝送された光画像を撮像して、画像情報かする。撮像素子としては通常のＣＣＤエリアセンサやＣＭＯＳセンサ等を用いることができる。
【００１９】
請求項１のファイバスコープ装置は、以下の如き特徴を有する。  
即ち、画像伝送ファイバの「入力側端面と出力側端面との間」において、光ファイバ束の「画像伝送領域外」に、光ファイバ束の軸に対して交わる「入射用断面」が形成されており、１以上の照明光源からの照明光が「入射用断面から光ファイバ束内に入射」する構成である。
【００２０】
「１以上の照明光源」は照明用の光である照明光を放射する。  
「照明光源」は、光源のみ、もしくは「光源と、光源からの光束を、平行光束や、弱い集光光束、あるいは弱い発散光束等、入射用断面への入射に適した光束径体に変換するレンズ等」を含むことができる。
【００２１】
「画像伝送領域」は、光ファイバ束に束ねられた光ファイバのうちで、画像伝送に拘わる光ファイバの集合である。そして、この画像伝送領域よりも外側にある領域が「画像伝送領域外」であり、この部分に入射用断面が形成される。
【００２２】
請求項１記載のファイバスコープ装置はまた、画像伝送ファイバの入射用断面とともに「画像伝送ファイバの外周面に向かって断面形状楔形に開く反射面」を有し、１以上の照明光源からの照明光を上記反射面により反射させて入射用断面に入射させる構成としたことを特徴とする。
【００２３】
なお、参考技術として、画像伝送ファイバの外周面に「断面四辺形状の切り欠き」が形成され、この切り欠きにおける深さをなす面を入射用断面とし、切り欠き内に「照明光源の少なくとも一部をなす半導体光源」を１以上配置し、半導体光源から光ファイバ束の軸方向へ放射される照明光を、入射用断面から入射させる構成とすることが考えられる。
【００２４】
「半導体光源」は、ＬＥＤ光源や半導体レーザである。照明光源は、この場合「半導体光源のみ」もしくは「半導体光源から放射される光束を平行光束や、弱い集光光束、あるいは弱い発散光束等、入射用断面への入射に適した光束径体に変換するレンズ等」を含むことができる。
【００２５】
請求項１の場合には、光源を、画像伝送ファイバの外側に設け、照明光を「反射面を介して入射用断面に入射」させる構成とすることができる。従って、この場合、光源としては、ＬＥＤ光源や半導体レーザに限らず、ハロゲン光源、キセノン光源、固体レーザや基体レーザ等のレーザ光源を用いることもできる。
【００２６】
請求項１記載のファイバスコープ装置は「撮像素子の受光面を、画像伝送ファイバの出力側端面に直接接触させて、画像伝送された光画像を受光する構成」とすることができる（請求項２）。
【００２７】
請求項１記載のファイバスコープ装置はまた、画像伝送ファイバの出力端側に画像伝送された光画像を、結像レンズを介して撮像素子の受光面上に結像させる構成とすることができる（請求項３）。
【００２８】
請求項１〜３の任意の１に記載のファイバスコープ装置は「観察部分の像を光ファイバ束の入力側端面に結像させる対物光学系」が対物レンズであることができる（請求項４）。対物レンズは、光ファイバ束の入力側端面のサイズが小さい場合には、マイクロレンズとして構成することができる。
【００２９】
請求項１〜３の任意の１に記載のファイバスコープ装置は「観察部分の像を光ファイバ束の入力側端面に結像させる対物光学系」がロッドレンズであって、入力側端面に向いた面を結像面として、入力側端面に密接させた構成であることができる（請求項５）。このようにする代わりに、ロッドレンズと入力側端面とを離隔させ、ロッドレンズによる観察部分の像が、入力側端面に結像するようにすることができる。
【００３０】
請求項５のように、ロッドレンズの入力側端面に向いた面を結像面として、入力側端面に密接させた構成とすると、このロッドレンズの「入力側端面に向いた面」と密着する光ファイバの集合面が「画像伝送ファイバの画像伝送領域」を規定することになる。
【００３１】
この発明の画像伝送ファイバは、請求項１〜５の任意の１に記載のファイバスコープ装置に用いられる画像伝送ファイバである。
画像伝送ファイバは、光ファイバを束ねてなる光ファイバ束を有する。
光ファイバ束は、入力側端面と出力側端面を有し、入力側端面に入力する光画像を、出力側端面に画像伝送する画像伝送領域と、照明光を入射側端面に伝送させる画像伝送領域外とを有する。
そして、上記入力側端面と出力側端面との間の上記画像伝送領域外に、上記光ファイバ束の軸に対して交わる入射用断面と、該入射用断面とともに、外周面に向かって断面形状楔形に開く反射面が形成され、照明光を上記反射面により反射させて上記入射用断面に入射させる構成となっている。
【発明の効果】
【００３２】
以上に説明したように、この発明によれば新規なファイバスコープ装置と、これに用いる画像伝送ファイバを実現できる。この発明の画像伝送ファイバは、上記の如く、入力側端面と出力側端面との間に入射用断面が形成され、この入射用断面により照明光を画像伝送ファイバ内に入射させるので、画像伝送ファイバへの照明光の入射部分の構成を簡素化できる。
【図面の簡単な説明】
【００３３】
【図１】ファイバスコープ装置の実施の形態を説明するための図である。
【図２】ファイバスコープ装置の実施の別形態２例を要部のみ示す図である。
【図３】ファイバスコープ装置の実施の他の形態例を要部のみ示す図である。
【図４】ファイバスコープ装置の実施の他の形態例を要部のみ示す図である。
【図５】ファイバスコープ装置の参考例を要部のみ示す図である。
【図６】反射面による好適な反射角を説明するための図である。
【発明を実施するための形態】
【００３４】
以下、実施の形態を説明する。  
図１（ａ）はファイバスコープ装置の実施の１形態を説明図的に示している。  
ファイバスコープ装置は、主として、符号１０、１１、１２で示す３つの部分で構成されている。
【００３５】
符号１０で示す部分は、図の左方に存在する図示されない観察対象に対して照明光を照射し、照明された観察部分の像を結像するための「照明・対物部分」であり、対物光学系（対物レンズ）である屈折率分布型のロッドレンズ１００と、これを囲繞する照明光導光筒１０１により構成されている。
【００３６】
符号１１で示す部分は「画像伝送ファイバ」を構成し、光ファイバ束１１０とこれを被覆する外皮チューブ１１１とを有している。光ファイバ束１１０の「ロッドレンズ１００側の端面」は「入力側端面」であって、ロッドレンズ１００の光軸に直交する平面をなしている。なお、外皮チューブ１１１は画像伝送ファイバ１１の入力側（図の左方）へ延長され、照明光導光筒１０１とロッドレンズ１００とは、延長された外皮チューブ１１１に囲繞されて設けられている。
【００３７】
観察部分の像は、ロッドレンズ１００により入力側端面上に結像される。この例においては、ロッドレンズ１００の入力側端面側の端面は、入力側端面に密接している。
【００３８】
光ファイバ束１１０の、図で右側の端面は「出力側端面」である。  
符号１２で示す部分は「画像伝送ファイバ１１に照明光Ｌをカップリングさせる部分」と、画像伝送ファイバ１１により伝送された「観察部分の像」を撮像するための部分を含む「照明・撮像部分」であり、照明光を放射する光源１２１ａ、１２１ｂと、結像レンズ１２３と、撮像素子１２４と、これらを収納するケーシング１２６と、隔壁１２７とを有する。  
図示されない電源ケーブル・信号ケーブルが、ケーシング１２６の外部と撮像素子１２４とを連結している。
【００３９】
この例において照明用光源をなす光源１２１ａ、１２１ｂは、白色ＬＥＤであって白色光を放射する。なお、図１（ａ）には２個の光源が描かれているが、光源の数は２個に限られない。
【００４０】
画像伝送ファイバ１１は上記の如く、外皮チューブ１１１により光ファイバ束１１０を被覆した構造をなしている。光ファイバ束１１０の部分は、図１（ｂ）に示すように、光ファイバＦを多数本束ねて構成されている。
【００４１】
個々の光ファイバＦは石英ガラスあるいは樹脂によるもので「高屈折率のコア部が低屈折率のクラッド部で被覆されて直径が数μｍないし数十μｍで、所望の長さ」を持つ。
【００４２】
束ねられた光ファイバ長手方向の一端は「ファイバ端面の稠密な集合面が、像伝送手段１１の長さ方向に直交する平面状の入力側端面１１０Ａ」をなすように配列一体化され、他端側は「ファイバ端面の配列を入力端面におけるファイバ端面の配列に整合させて平面状の出力側端面１１０Ｂをなすように、稠密に配列一体化」されている。
【００４３】
図１（ｃ）は、画像伝送ファイバ１１に照明光をカップリングさせる部分を説明図的に示している。  
この実施の形態において、画像伝送ファイバ１１の、入力側端面と出力側端面１１０Ｂとの間に、光ファイバ束の画像伝送領域外に光ファイバ束の軸（光画像を伝送する方向）に対して交わる入射用断面１１０Ｃが形成され、この入射用断面１１０Ｃとともに、画像伝送ファイバの外周面（外皮チューブ１１１の外周面）に向かって「断面形状楔形」に開く反射面１１２を有する。
【００４４】
説明中の実施の形態においては、図１（ｂ）において破線で示す円形状１１０Ｄの中側に束ねられている光ファイバ束部分が「画像伝送領域」であり、その外側の部分が「画像伝送領域外」である。
【００４５】
説明中の実施例では、図１（ｃ）に示すような「断面形状楔形の切り込み」が、切り込みの尖端部が上記「画像伝送領域」を囲むように形成されている。この切れ込みで形成される一方の面、即ち、入射用断面１１０Ｃをなす部分は、光ファイバ束の軸に対して直交する平面となっている。
【００４６】
これに対し、反射面１１２を形成される部分は、円錐面をなしている。  
即ち、画像伝送ファイバ１１に対して上記の如き「切れ込み」が形成され、切れ込みによって形成された一方の断面が入射用断面１１０Ｃであり、この入射用断面１１０Ｃとともに切れ込みをなす「円錐面をなす部分」に反射用金属膜がアルミニウム等の蒸着により反射面１１２として形成される。
【００４７】
図１（ａ）に示す光源１２１ａ、１２１ｂから放射された照明光Ｌは、図１（ｃ）に示すように、反射面１１２に向かって照射され、反射面１１２により入射用断面１１０Ｃに向けて反射され、入射用断面１１０Ｃから画像伝送ファイバ１１内に入射する。そして、画像伝送ファイバ１の「画像伝送領域外をなしている光ファイバ」内を入力側端面に向けて伝送され、照明光導光筒１０１内を伝送されて同筒１０１の端面から射出し、図示されない観察対象物の観察部分を照明する。
【００４８】
照明された観察部分からの光は、ロッドレンズ１００に入射し、ロッドレンズ１００の結像作用により、光ファイバ束１１０の入力側端面１１０Ａに光画像として結像する。
【００４９】
この光画像は、画像伝送ファイバ１１によりその出力側端面１１０Ｂに伝送され、出力側端面１１０Ｂに光画像が現れる。
【００５０】
このように出力側端面１１０Ｂに伝送された光画像は、図１（ａ）に示すように、結像レンズ１２３により撮像素子１２４の受光面上に結像され、撮像素子１２４により撮像されて画像情報化される。なお、ケーシング１２６内に設けられた隔壁１２７は、画像伝送ファイバ１１の出力側部分を保持するとともに、光源１２１ａ、１２１ｂからの照明光が迷光として撮像素子１２４に入射するのを防ぐ遮光手段としての機能を果たしている。
【００５１】
入射用断面１１０Ｃから画像伝送領域外の光ファイバに入射した照明光の一部は、光ファイバの入力側端面と照明光導光筒１０１との境界で反射して戻り、入射用断面から射出して「戻り迷光」となる。観察部分で反射された反射光の一部は、照明光導光筒１０１に入射して光ファイバ内を戻り入射用断面１１０Ｃから射出して「反射迷光」となる。
【００５２】
これら「戻り迷光、反射迷光」は、反射面１１２で反射されるので、画像伝送ファイバ１１の出力側端面１１０Ｂに伝送されることはなく、したがって、撮像素子１２４に迷光として入射することはない。
【００５３】
換言すれば、画像伝送ファイバ１１の光ファイバ束１１０の出力側端面１１０Ｂにおける「画像伝送領域」は、伝送される光画像に対するイメージサークルをなし、このイメージサークル内に迷光が侵入することが有効に防止される。説明中の例では、このイメージサークルの大きさは「ロッドレンズ１００の径を直径とする円の大きさ」に等しい。
【００５４】
以下、変形例を説明する。繁雑を避けるため、混同の恐れが無いと思われるものについては、図１におけると同一の符号を用いる。  
図２（ａ）は、照明・対物部分１０の部分を変形した実施の形態であり「観察部分の像を光ファイバ束１１０の入力側端面に結像させる対物光学系」を対物レンズ１００Ａで構成した例である。  
この場合には、観察部分からの反射光は、対物レンズ１００Ａにより入力側端面１１０Ａに光画像として結像し、画像伝送ファイバ１１の出力側端面に伝送される。
【００５５】
図２（ｂ）は、画像伝送ファイバ１１の出力側を変形させた例であり、出力側端面１１０Ｂに撮像素子１２４Ａの受光面を密着させ、出力側端面１１０Ｂに伝送された光画像を直接撮像素子１２４で読取って画像信号化するようにした構成である。この構成では、図１の実施の形態における結像レンズ１２３を省略することができ、ケーシング１２６を小型化できるとともにコストを下げることができる。
【００５６】
図３に示す実施の形態は、画像伝送ファイバの光ファイバ束の「入射用断面１１０Ｃから出力側端面１１０Ｂにいたる部分」において、出力側端面よりも外側の部分（画像伝送領域外の部分）を切除し、この部分に、画像伝送ファイバとは別体の反射面部剤１２２を取り付けるようにした変形例である。
【００５７】
反射面部剤１２２は、切頭円錐形状をなし、外周の円筒面部分が反射面１２２Ａに形成され、軸を含む円筒状の筒穴に、図３（ｂ）に示す如く「画像伝送ファイバの入力用断面１１０Ｃから出力側端面１１０Ｂに至る部分」を嵌め込んで両者を一体化する。
【００５８】
照明光Ｌを反射面１２２Ａにより反射させて、入射側断面１１０Ｃから「画像伝送領域外の光ファイバ」に入射させて、入力側端面へ向けて導光させる。
【００５９】
反射面部剤１２２は、例えば金属で形成して円錐面部分を反射面としても良いし、樹脂で成形した部材の円錐面部分に反射面を蒸着等により形成しても良い。  
図４に示す実施の形態は、画像伝送ファイバに、断面矩形状の切り欠きを形成し、この切り欠き部分に、断面三角形状のリング状の反射面部剤１３０を嵌め、反射面部剤１３０の外面をなす円錐面部分を反射面１３０Ａとし、照明光Ｌを反射面１３０Ａにより反射させて入力用断面１１０Ｃに照射するようにした構成のものである。
【００６０】
上に説明した図１に示す実施の形態、図２（ｂ）に示す実施の形態、図３、図４に示した実施の形態の何れにおいても、画像伝送ファイバには、入射用断面１１０Ｃと共に「画像伝送ファイバの外周面に向かって断面形状楔形に開く」反射面１１２（図１、図２（ｂ）、１２２Ａ（図３）、１３０Ａ（図４）を有し、１以上の照明光源からの照明光Ｌをこれら反射面により反射させて入射用断面１１０Ｃに入射させる構成である。
【００６１】
図５に示すのは、前述した参考技術の形態例であり、画像伝送ファイバの外周面に、図４に示す実施の形態と同様の「断面四辺形状の切り欠きを形成し、この切り欠きにおける「深さをなす面」を入射用断面１１０Ｃとし、上記切り欠き内に、１以上の半導体光源としてＬＥＤ光源１５０ａ、１５０ｂを配置し、半導体光源１５０ａ、１５０ｂから光ファイバ束１１０の軸方向（図の左右方向）へ放射される照明光を、入射用断面１１０Ｃから入射させるようにした構成の形態例である。
【００６２】
この場合には「照明光源と画像伝送ファイバとの組み合わせ」の構成を極めて簡素化でき、コンパクト化できる。  
図４の実施の各形態においては、上記「断面四辺形状の切り欠き」は、リング状であり、画像伝送ファイバの外周を１周するように形成されるが、これに限らず、断面四辺形状の切り欠きは「穴状のもの」でもよく、この穴状の切り欠きごとに反射部材を埋め込むように設けても良い。
【００６３】
なお、図５の参考技術の場合、切り欠きを成す面のうち、切り欠き底面に当たる部分と
、入射用断面に対向する（出力側の断面）の部分には、反射膜を形成して、前述の反射迷
光・戻り迷光が出力側端面に伝送されないようにするのが良い。
【００６４】
上に説明した実施の各形態において、入射用断面は「画像伝送ファイバにおける伝送方向に直交する平面」として形成しているが、入射用断面は、必ずしもこれに限らず、上記伝送方向に対して直角以外の角を成す面としてもよい。この場合には入射用断面は一般に円錐面もしくはその一部となる。
【００６５】
上に説明した実施の各形態においては、照明光Ｌを入射用断面１１０Ｃに向かって反射させる反射面の傾きについては特に説明しなかった。
【００６６】
反射面の果たすべき機能は、照明光源からの照明光Ｌを、入射用断面１１０Ｃに向けて反射することであるが、反射面による照明光Ｌの反射の態様は、入射用断面１１０Ｃに対して「照明光が効率よく光ファイバ内に入射し、入力側端面へ向かって良好に伝搬する」ように定められることは言うまでもない。  
反射面により反射されて入射用断面に照射される照明光は、入射用断面に対する入射角が大きすぎると、光ファイバ内で全反射せず、一部が光ファイバ外壁から漏れて、隣接する光ファイバに入り込んだりし、照明光強度を減衰させたり迷光の原因となったりする。
【００６７】
図６（ａ）において、角：θ３は入射用断面１１０Ｃと画像伝送ファイバの画像伝送方向（軸方向）と為す角で、簡単のため、直角であるとする。光ファイバＦの端面に入射角：θ１をもって入射する光は、光ファイバＦ内に入射する際、屈折角：θ２をもって屈折する。空気中における角：θ１と屈折角：θ２の関係は、光ファイバＦ（のコア）の屈折率：ｎにより、
ｎ＝ｓｉｎθ１／ｓｉｎθ２  
で定まる。
【００６８】
角「９０度―θ２」の大きさが、光ファイバのコアの周面での全反射角：θＡよりも小さいと、光ファイバＦに入射した光は、その一部が光ファイバ外へ抜けてしまう。従って、光ファイバＦに「全反射による光伝送」を行なわせるためには、入射角：θ１は、開口数：ＮＡ＝ｎ・ｓｉｎθＡに対して、
ｎ・ｓｉｎθ１＜ＮＡ
を満足しなければならない。
【００６９】
具体的な例を挙げると、図６（ｂ）において、反射面１１２の「軸方向に対する角」をθ５、反射面１１２に対する入射角：θ６、反射角：θ７、入射用断面１１０Ｃの軸方向に対する傾き角：θ４とする。
【００７０】
また、光ファイバＦの開口数：ＮＡ＝０．２２とし、照明光は、平行光束にコリメートされているものとする。  
この場合、入射用断面１１０Ｃの軸方向に対する傾き角：θ４を９０度とし、入射光Ｌの入射方向を軸方向に対して直角とすると、反射面１１２の傾き角：θ５を４５度〜５１．３度とするか、もしくは、傾き角：θ５を４５度とし、コリメートされた照明光Ｌの光ファイバ端面への入射角を０〜１２．７度の範囲とすればよい。
【実施例】
【００７１】
図１（ａ）に示す画像伝送ファイバ１１として、ファイバ束１１０の径が１．５ｍｍ、外皮チューブ１１１の外径が１．７ｍｍで、光ファイバ束を構成する光ファイバ数：Ｎとして７４００本のものを用いた。
【００７２】
ロッドレンズ１００として、直径：１ｍｍのセルフォックによるレンズを用い、照明光導光筒１０１として、外径：１．５ｍｍ、内径：１．０ｍｍの透明アクリル材円筒を用い、ロッドレンズ１００を嵌装した。透明アクリル材円筒の光射出面は「粗し処理」を施し、拡散光照明を行うようにした。
【００７３】
ロッドレンズ１００は、入力側端面の中心に光軸を合致させて入力側端面に密着させ、像伝送効率を良くするように、屈折率整合性をもった接着剤で固定した。ロッドレンズ径：１ｍｍの外側になる部分を「画像伝送領域外」とし、この部分に光ファイバ束の軸に直交する断面による「入射用断面」を形成するとともに、上記軸に対する傾き角が４５度であるような円錐面状の部分を形成し、この部分にアルミニウムを蒸着して反射膜を形成し、反射面とした。
【００７４】
従って、画像伝送ファイバ１１における画像伝送領域は、入力側端面・出力側端面の中心を中心とする半径：０．５ｍｍの円形領域であり、照明光導光領域は、この直径：１ｍｍの画像伝送領域の外側の幅：０．２５ｍｍのリング状領域である。
【００７５】
光源１２１ａ等としては４個の白色ＬＥＤを用い、上記反射面の周りに軸対称に配置した。また、各光源からの光束をコリメートレンズで平行光束として照明光とした。
【００７６】
結像レンズ１２３はガラスレンズとし、拡大倍率：７倍に設定した。  
撮像素子１２４としては、５ｍｍ×５ｍｍの正方形の受光面を持ち、３０万画素のカラー撮像素子を用いた。  
このような構成で、カラーの良好な観察画像を得ることができた。
【００７７】
なお、結像レンズ１２３と撮像素子１２４の間に半透鏡を配して結像光束を分割し、分割した結像光束を接眼レンズを介して、観察画像を目視で観察できるようにすることができる。
【００７８】
補足すると、例えば、上の実施の形態で、対物光学系と照明光導光筒の部分を交換可能なユニットとして形成し、交換して用いたり「使い捨て」にしたりすることができる。
【００７９】
ファイバスコープ装置を内視鏡等の医療目的に使用する場合には、上記部分を使い捨てにしたり、場合により画像伝送ファイバの部分も使い捨てにするのがよい。
【００８０】
医療目的に用いる場合には、対物光学系が設けられるファイバスコープ装置の先端部の形状を、滑らかな流線型等にして、挿入の際に生体を傷つけないようにする。
【符号の説明】
【００８１】
１２１ａ        光源（白色ＬＥＤ）
１１２          反射面  
１１０Ｃ        入射用断面  
１２３          結像レンズ  
１２４          撮像素子  
１１            画像伝送ファイバ  
１１０          光ファイバ束  
１００          屈折率分布型のロッドレンズ  
１０１          照明光導光筒  
【先行技術文献】
【特許文献】
【００８２】
【特許文献１】特開平２−２７２５１５号公報
【特許文献２】特開平６−２５０１０４号公報
【特許文献３】特開２００８−２８９６８３号公報
【図１】
0005650551.tif 000002
【図２】
0005650551.tif 000003
【図３】
0005650551.tif 000004
【図４】
0005650551.tif 000005
【図５】
0005650551.tif 000006
【図６】
0005650551.tif 000007